(57)【要約】【課題】電気掃除機本体前方に設けた把手において、十分な強度を確保する。【解決手段】電気掃除機本体１０１の把手部６を、本体１０１に設けた第１の把手部４の内周面８と外周面９を、蓋体３に設けた第２の把手部５でコの字状に覆うように構成することで、第１の把手部４と第２の把手部５が一体となったとき十分な強度を確保し、持ち上げて移動させる際、第１の把手部４と第２の把手部５が合わさった状態であっても、蓋体３を開いた状態であっても、安定感があり心地よい持ちやすさを可能とする。【選択図】図１
2008212388.tif 000002
【特許請求の範囲】
【請求項１】
集塵室と前記集塵室の後方に配置された電動送風機とを備えた本体と、前記集塵室を覆うと共に後端を前記本体に開閉可能に軸支された蓋体とからなり、前記本体と一体に前方へ延出して設けた第１の把手部と、前記蓋体と一体に前方に延出し前記第１の把手部を覆う様に設けた第２の把手部とからなる電気掃除機。
【請求項２】
蓋体を閉めた状態を保持するための尾錠を備えると共に、蓋体を開方向に付勢する弾性体を軸支部に有し、前記尾錠を解除すると前記蓋体が開方向へ回動し、第２の把手部が略最上位置に移動することを特徴とする請求項１に記載の電気掃除機。
【請求項３】
第１の把手部と第２の把手部が合わさった状態の把手部を持って本体を持ち上げた際、前記把手部が略垂直となるような傾斜角度をもって前記第１の把手部と第２の把手部が本体及び蓋体より延出されたことを特徴とする請求項１または２に記載の電気掃除機。
【発明の詳細な説明】
【技術分野】
【０００１】
本発明は、電気掃除機に関し、特に電気掃除機の把手に関するものである。
【背景技術】
【０００２】
従来、この種の電気掃除機の把手は、本体の上方部に折りたたみ可能に設置されることが多い。また、本体を垂直に立てた収納状態から直ちに持ち運びを可能にするため、把手を本体の前方に設置した電機掃除機もある（例えば、特許文献１参照）。
【特許文献１】特開昭６０−１９９４２７号公報
【発明の開示】
【発明が解決しようとする課題】
【０００３】
しかしながら、前記特許文献１に記載の従来の構成では、後端部に本体への引掛け部を設けた蓋体の前方部に蓋把手を形成し、掃除機本体に設けた本体把手と重ね合わせて電気掃除機の把手として使用できるようにすると共に、指の挟みこみ防止のため、蓋体と一体に前方に延出した把手部の蓋把手壁が、本体把手の壁面よりも外側にオーバーラップするように形成されているが、そのオーバーラップが蓋把手の内周壁側の片側のみであるため、蓋把手と本体把手を重ね合わせた把手部が十分な強度を確保できていなかった。
【０００４】
その対策として、蓋把手と本体把手を太くすることで強度を向上させる方法も考えられるが、把手部が太くなることで握り心地が悪化してしまうという課題もあった。
【０００５】
本発明は、前記従来の課題を解決するもので、本体前方に設置された把手の強度と取り扱い性を向上した電気掃除機を提供することを目的とする。
【課題を解決するための手段】
【０００６】
前記従来の課題を解決するために、本発明は、集塵室と前記集塵室の後方に配置された電動送風機とを備えた本体と、前記集塵室を覆うと共に後端を前記本体に開閉可能に軸支された蓋体とからなり、前記本体と一体に前方へ延出して設けた第１の把手部と、前記蓋体と一体に前方に延出し前記第１の把手部を覆う様に設けた第２の把手部とからなる構成としたため、第１の把手部と第２の把手部が一体となったとき、第１の把手部の上面・内周面・外周面の３面が、第２の把手部のコの字状内面とそれぞれ面で接触、保持されるため、十分な強度を確保できる。
【０００７】
また、本発明は、蓋体を閉めた状態を保持するための尾錠を備えると共に、蓋体を開方向に付勢する弾性体を軸支部に有し、前記尾錠を解除すると前記蓋体が開方向へ回動し、第２の把手部が略最上位置に移動するよう構成したため、蓋を開けると第２の把手部が本体上方に移動し、その状態で安定しているため、第２の把手部のみを利用して体を屈めることなく立った姿勢での本体の持ち運びを可能としている。
【発明の効果】
【０００８】
本発明の掃除機の把手は、第１の把手部の内周と外周両面を第２の把手部でコの字状に覆うように構成することで、第１の把手部と第２の把手部が一体となったとき十分な強度を確保できる。
【発明を実施するための最良の形態】
【０００９】
第１の発明は、集塵室と前記集塵室の後方に配置された電動送風機とを備えた本体と、前記集塵室を覆うと共に後端を前記本体に開閉可能に軸支された蓋体とからなり、前記本体と一体に前方へ延出して設けた第１の把手部と、前記蓋体と一体に前方に延出し前記第１の把手部を覆う様に設けた第２の把手部とからなる構成としたため、第１の把手部と第２の把手部が一体となったときの十分な強度を確保するとともに、心地よい握り感を実現する。
【００１０】
第２の発明は、特に、第１の発明の電気掃除機において、蓋体を閉めた状態を保持するための尾錠を備えると共に、蓋体を開方向に付勢する弾性体を軸支部に有し、前記尾錠を解除すると前記蓋体が開方向へ回動し、第２の把手部が略最上位置に移動することを特徴とする構成としたため、体を屈めることなく立った姿勢で第２の把手部のみを利用して持ち運びが可能となる。
【００１１】
第３の発明は、特に、第１または第２の発明の把手を、第１の把手部と第２の把手部が合わさった状態の把手部を持って本体を持ち上げた際、前記把手部が略垂直となるような傾斜角度をもって前記第１の把手部と第２の把手部が本体及び蓋体より延出されたことを特徴とする構成としたため、本体を持ち上げた際に、持ちやすく、安定感を得ることができる。
【００１２】
以下、本発明の実施の形態について、図面を参照しながら説明する。なお、この実施の形態によって本発明が限定されるものではない。
【００１３】
（実施の形態１）
本発明の実施の形態について、図１〜５を用いて説明する。
【００１４】
図１に示すように、電気掃除機本体１０１（以下、本体と称す）は、集塵室１と集塵室１の後方に配置された電動送風機２とを備えており、集塵室１を覆うと共に後端を本体１０１に開閉可能に軸支された蓋体３とからなり、前記本体と一体に前方へ延出して設けた第１の把手部４と、蓋体３と一体に前方に延出し第１の把手部４を覆う様に設けた第２の把手部５とが、本体１０１前方で重なり合うことで一体化する把手部６を有している。
【００１５】
第２の把手部５の断面はコの字状を成しており、蓋体３で集塵室１を覆うと、第１の把手部４の上面・内周面８・外周面９の３面と第２の把手部５の内面３面がそれぞれ面で接触される。
【００１６】
また、図４に示すように、第１の把手部４は、第２の把手部５を有する蓋体６の軸支部７と略水平の関係で位置しており、第１の把手部４の内周面８と外周面９、そして第２の把手部５の前壁１０と後壁１１は、それぞれの面がほぼ垂直になるように構成している。
【００１７】
つまり、第１の把手部４の内周面８と外周面９、そして第２の把手部５の前壁１０と後壁１１は、蓋体３の軸支部７に対する円弧の接線にほぼ一致しているので、蓋体６に構成した第２の把手部５を回動させて本体１０１に設けた第１の把手部４を覆うように構成しても、第１の把手部４の内周面８と第２の把手部５の後壁１１の間、第２の把手部５の外周面９と第２の把手部５の前壁１０の間の隙間を最少とすることができ、密着させることができる。
【００１８】
更に、第１の把手部４の内周面８、外周面９を覆っている第２の把手部５の前壁１０と後壁１１は５ｍｍの厚みを持っており、第１の把手部４の内周面８、外周面９の下端に対して、第２の把手部５の前壁１０と後壁１１の先端がそれぞれ５ｍｍ以上短くし、且つ後壁１１の下端は円弧状に構成し、第１の把手部４と第２の把手部５を重ね合わせたとき、第１の把手部４と第２の把手部５に段差を構成している。
【００１９】
また、蓋体３には、蓋体３を閉めた状態を保持するための尾錠１２、及び蓋体３を開方向に付勢する弾性体としてバネ１３を軸支部７に有しており、尾錠１２を解除するとバネ１３の付勢により蓋体３が開方向へ回動し、垂直状態で保持されるように構成しており、この時、第２の把手部５は略最上位置に移動、保持される。
【００２０】
第１の把手部４と第２の把手部５が合わさった状態の把手部６は、本体の前方に対して約２０度の傾斜角度で、延出されている。この傾斜角度は、第１の把手部４と第２の把手部５が合わさった状態の把手部６と本体の重心１４とを結んだ直線の傾斜角度と一致させている。
【００２１】
以上のように構成された電気掃除機について、以下その動作、作用を説明する。
【００２２】
図３に示すように、第１の把手部４の上面・内周面８・外周面９の３面を、第２の把手部５のコの字形状で隙間なく保持することによって、第１の把手部４と第２の把手部５を重ね合わせた把手部６が十分な強度を確保できる。
【００２３】
また、第１の把手部４と第２の把手部５を重ね合わせたとき、第１の把手部４と第２の把手部５に設けられている段差によって、第１の把手部４と第２の把手部５を重ね合わせる際に、第１の把手部４と第２の把手部５の隙間で指の腹や手の平の肉をつめるという恐れなく使用性を向上させる効果がある。特にこのような蓋体３は、蓋把手と本体把手の接合部が使用者に見えにくく、使用者は不意に指をはさむことが懸念されるが、本実施の形態によれば把手部の持ち方に拠らず指詰めが防止できる。
【００２４】
さらに、第２の把手部５の断面がコの字状を成し、５ｍｍ以上の厚みを有しているため、第１の把手部４と重なり合っていない、単独の状態においても把手部としての十分な強度を確保できているとともに、その断面の外形寸法が第１の把手部と重なり合った状態と同等の寸法幅を有しているため、第１の把手部４と重なり合った状態６と同じように、第２の把手部５単独での心地良い握り感を実現している。
【００２５】
図４に示すように、蓋体３を開けた状態においては、蓋体３の長さ分だけ第２の把手部５が高い所に位置しており、蓋体３を開けた状態の本体を移動しようとする際、ほとんど体を屈めることなく、立ったままの姿勢で第２の把手部５を掴むことができる。
【００２６】
また、蓋体の軸支部７に備えたバネ１３が常に蓋体３を開方向へ回動させようとする力を付加しているため、蓋体３が略最上位置に倒立した状態で安定しており、蓋体３を開けた状態で第２の把手部５だけを利用して本体１０１を移動させる際、安定感があり持ちやすい。
【００２７】
また、第１の把手部４と第２の把手部５が合わさった状態の把手部６を持って本体１０１を持ち上げた際、第１の把手部４と第２の把手部５が合わさった状態の把手部６が本体の前方に対して２０度の傾斜角度を有しているため、第１の把手部４と第２の把手部５が合わさった状態の把手部６が略垂直となり、持ち上げて移動させる際に、安定感があり持ちやすいものとなっている。
【産業上の利用可能性】
【００２８】
以上のように、本発明にかかる電気掃除機は、第１の把手部の内周と外周両面を第２の把手部でコの字状に覆うように構成することで、第１の把手部と第２の把手部が一体となったとき十分な強度を確保できており、持ち上げて移動させる際には、第１の把手部と第２の把手部が合わさった状態であっても、蓋体を開いた状態であっても、安定感があり心地よい持ちやすさが可能となるので、特に家庭、業務用等の電気掃除機に有用である。
【図面の簡単な説明】
【００２９】
【図１】本発明の実施の形態１における電気掃除機の蓋体を開けた状態での斜視図
【図２】同掃除機の蓋体を閉めた状態での斜視図
【図３】同掃除機の把手部の断面図
【図４】同掃除機の断面図
【図５】同掃除機の把手部を利用して持ち上げた状態での断面図
【符号の説明】
【００３０】
３  蓋体
４  第１の把手部
５  第２の把手部
６  第１の把手部と第２の把手部が合わさった状態の把手部
７  軸支部
１３  バネ（弾性体）
【図１】
2008212388.tif 000003
【図２】
2008212388.tif 000004
【図３】
2008212388.tif 000005
【図４】
2008212388.tif 000006
【図５】
2008212388.tif 000007